【事件の表示】
　特願２０００−１１２７１２号「透明導電性フィルム一体型偏光板、偏光板一体型タッチパネル及びタッチパネル一体型平板ディスプレー（ＡＰｏｌａｒｉｚｅｒＩｎｔｅｇｒａｔｅｄｗｉｔｈＴｒａｎｓｐａｒｅｎｔＣｏｎｄｕｃｔｉｖｅＦｉｌｍ，ａＴｏｕｃｈＰａｎｅｌＩｎｔｅｇｒａｔｅｄｗｉｔｈｔｈｅＰｏｌａｒｉｚｅｒａｎｄａＦｌａｔＰａｎｅｌＤｉｓｐｌａｙＩｎｔｅｇｒａｔｅｄｗｉｔｈｔｈｅＴｏｕｃｈＰａｎｅｌ）」拒絶査定不服審判事件〔平成１２年１２月２６日出願公開、特開２０００−３５６７１５号〕について、次のとおり審決する。
【結　論】
　本件審判の請求は、成り立たない。
【理　由】
１．手続の経緯及び本願発明　
　本願は、平成１２年４月１３日（パリ条約による優先権主張　平成１１年４月１３日、韓国）の出願であって、平成２０年３月３日付けで手続補正がなされ、同年７月１５日付けで拒絶査定がなされ、これに対して同年１１月１０日に拒絶査定不服の審判請求がなされるとともに、同年１２月１０日付けで手続補正がなされ、その後、当審において平成２３年１月２８日付けで拒絶理由通知がなされ、同年８月１９日付けで手続補正がなされたものである。　
　本願の特許請求の範囲の請求項１〜６に係る発明は、平成２３年８月１９日付けの手続補正により補正された特許請求の範囲の請求項１〜６に記載されたとおりのものと認められるところ、その請求項１に記載された発明（以下、「本願発明」という。）は次のとおりのものである。　
　　　
「下部フィルム（３１）と、偏光フィルム（３２）と、上部フィルム（３３）と、透明導電性フィルムであるタッチパネルの抵抗膜（７３）と、から構成される透明導電性フィルム一体型偏光板（７０’）を生産する方法であって、
　前記下部フィルム（３１）の上に前記偏光フィルム（３２）を積層し、当該偏光フィルム（３２）の上に前記上部フィルム（３３）を積層した偏光板（３０）を形成するステップと、
　前記下部フィルム（３１）、偏光フィルム（３２）、上部フィルム（３３）からなる偏光板（３０）の上面に、光学用の接着剤を塗布し、当該接着剤が塗布されたフィルムを切断するステップと、
　基材フィルム（７４）の上に、透明導電層（７５）を形成した前記タッチパネルの抵抗膜（７３）を形成するステップと、
　前記切断されたフィルムの上面に、前記タッチパネルの抵抗膜（７３）を接着するステップと、からなり、
　前記偏光板（３０）と、前記抵抗膜（７３）の垂直断面が一致する抵抗膜一体型偏光板を生産する方法。」
　　
２．引用例　
　これに対して、当審において平成２３年１月２８日付けで通知した拒絶の理由に引用した特開平９−２５１１５９号公報（以下、「引用例」という。）には、以下の技術事項が記載されている。（後述する引用発明の認定に関連する箇所に下線を付した。）　
　　　
記載事項ア．
「【０００１】
【技術分野】本発明は、液晶表示装置と入力装置（タッチパネル）との組み合わせ構造に関する。
【０００２】
【従来技術】従来の構造は、タッチパネルを液晶表示パネルの前面に配置する場合、表示画面とタッチパネルの間は間隙を設けている。これはタッチするときにタッチパネルの歪みが液晶画面に触れ、色むらが起きるのを防ぐためである。しかし、間隙があると表示画面とタッチパネルの間に空気層ができ、光線透過率が下がるため、表示品位が落ちる要因にもなっている。これらを解決するために、タッチパネルと下部保持板または表示画面の間を透明両面粘着シートで接着し、空気層をなくすことが考案されている（実公平３−３７０５５、特開平７−１０５７８１）。」
　
記載事項イ．
「【０００３】
【発明が解決しようとする課題】タッチパネルと液晶表示パネルを基材なし透明粘着シートで接着させた場合において、剥がれを防止するために粘着強度を上げるとシートそのものの硬度が硬くなり、タッチパネル押圧時、液晶表示画面に与える影響が大きくなる。そこで、本発明は、タッチパネル及び液晶表示画面に与える影響は少なく、かつタッチパネルと液晶表示パネルの剥がれを防止する課題を解決した透明入力タッチパネル付き液晶表示装置の提供を目的とする。」
　
記載事項ウ．
「【０００４】
【課題を解決するための手段】……（略）……本発明の液晶表示装置の構成を以下図面に基づいて説明する。図１および２に本発明の液晶表示装置の一例の構造を示す。
タッチパネル１は例えば抵抗膜方式であれば、
その下に導電膜を設けた下基板１ｃがある。ここでタッチパネル１の下基板１ｃの構成材料としては、
透明合成樹脂、例えばポリカーボネートを使用する。
　
記載事項エ．
「【０００８】
【実施例】図２に本発明の液晶表示装置の１例の断面図を示す。タッチパネル１の上基板１ａはポリエステル、ポリカーボネート等の透明フィルムに透明導電薄膜を設けた、厚さ０．１ｍｍ程度のフィルム基板より構成されたものである。
タッチパネル１の下基板１ｃは、厚さ１ｍｍ程度の
ポリカーボネートより構成されるものである。
タッチパネル１の有効エリアと液晶表示パネル５０の画面エリアに相当するタッチパネル１の下基板１ｃと液晶表示パネル５０の偏光板５０ａの間には、基板の無いアクリル系の粘着剤で
透明粘着シート層２により、タッチパネル１の下基板１ｃと液晶表示パネル５０の偏光板５０ａが粘着されている。
タッチパネル付き液晶表示装置が構成されている。
　
記載事項オ．
【図２】実施例１の液晶表示装置の断面図。
　
　
記載事項カ．
【図７】従来例（特開平７−１０５７８１）の液晶表示装置の断面図。
　
　
　記載事項ア．〜カ．の記載内容からして、引用例には、
「タッチパネル１の有効エリアと液晶表示パネル５０の画面エリアに相当するタッチパネル１の導電膜を設けた厚さ１ｍｍ程度の透明合成樹脂であるポリカーボネートより構成される下基板１ｃと液晶表示パネル５０の偏光板５０ａの間には、基板の無いアクリル系の粘着剤による透明粘着シート層２により、タッチパネル１の下基板１ｃと液晶表示パネル５０の偏光板５０ａが粘着されている積層物を含むタッチパネル付き液晶表示装置を生産する方法。」
の発明（以下、「引用発明」という。）が記載されているといえる。
　
３．対比　
　本願発明と引用発明とを対比する。　
　
（ａ）引用発明の「液晶表示パネル５０の偏光板５０ａ」と、本願発明の「下部フィルムの上に偏光フィルムを積層し、当該偏光フィルムの上に上部フィルムを積層した偏光板」は、「偏光板」である点で共通する。
　引用発明の「タッチパネル１の導電膜」は、技術常識を参酌すると透明であるといえるから、引用発明の「タッチパネル１の導電膜を設けた厚さ１ｍｍ程度の透明合成樹脂であるポリカーボネートより構成される下基板１ｃ」と、本願発明の「基材フィルムの上に、透明導電層を形成した」「透明導電性フィルムであるタッチパネルの抵抗膜」は、「基材の上に、透明導電層を形成した」「透明導電性基材であるタッチパネルの抵抗膜」である点で共通する。
　また、引用発明の「タッチパネル１の下基板１ｃと液晶表示パネル５０の偏光板５０ａが粘着されている積層物」と、本願発明の「透明導電性フィルム一体型偏光板」とは、「透明導電性基材一体型偏光板」である点で共通する。
　したがって、引用発明の「タッチパネル１の下基板１ｃと液晶表示パネル５０の偏光板５０ａが粘着されている積層物を含むタッチパネル付き液晶表示装置を生産する方法」と、本願発明の「下部フィルムと、偏光フィルムと、上部フィルムと、透明導電性フィルムであるタッチパネルの抵抗膜と、から構成される透明導電性フィルム一体型偏光板を生産する方法」は、「偏光板と、透明導電性基材であるタッチパネルの抵抗膜と、から構成される透明導電性基材一体型偏光板を生産する方法」である点で共通する。
　
（ｂ）引用発明は「タッチパネル１の下基板１ｃと液晶表示パネル５０の偏光板５０ａが粘着されている積層物を含むタッチパネル付き液晶表示装置を生産する方法」であるから、下基板１ｃを形成するステップと偏光板５０ａを形成するステップを包含することは明らかであり、引用発明と本願発明は「偏光板を形成するステップ」と「タッチパネルの抵抗膜を形成するステップ」を有する点で共通する。
　
（ｃ）本願発明の「偏光板の上面に、光学用の接着剤を塗布し、当該接着剤が塗布されたフィルムを切断するステップ」は「当該接着剤が塗布されたフィルムを切断する」の意味がどのような構成を意味するのかが明確とはいえないので、平成２３年８月１９日付け意見書で請求人が補正の根拠と主張している【００２２】の後段の記載を参酌すると、【００２２】の後段には「上部フィルムの代わりに透明導電性フィルムを使用したことで、光学フィルム（７２）下面に下部フィルム（７１）を、光学フィルム（７２）上面に接着剤が塗布された異型フィルムを貼り合わせた後必要な大きさで切断して異型フィルムを成形した後、電極が印刷された透明導電性フィルム（７３）を接着して形成する。この時、透明導電性フィルム（７３）は基材フィルム（７４）、導電層（７５）の二つ層からなっている。」と記載されているから、本願発明の「偏光板の上面に、光学用の接着剤を塗布し、当該接着剤が塗布されたフィルムを切断するステップ」は「偏光板の上面に、光学用の接着剤が塗布された異型フィルムを貼り合わせた後、必要な大きさに切断するステップ」を意味するものと認められる。
　一方、引用発明の「基板の無いアクリル系の粘着剤による透明粘着シート層２」は、光学用の接着剤の機能を有することは明らかであるから、引用発明の「タッチパネル１の」「下基板１ｃと液晶表示パネル５０の偏光板５０ａの間に」「基板の無いアクリル系の粘着剤による透明粘着シート層２」を設けることと、本願発明の「偏光板の上面に、光学用の接着剤を塗布し、当該接着剤が塗布されたフィルムを切断するステップ」は「偏光板の上面に、光学用の接着剤層を設けるステップ」である点で共通する。
（ｄ）本願発明では最終的に「下部フィルムと、偏光フィルムと、上部フィルムと、透明導電性フィルムであるタッチパネルの抵抗膜と、から構成される透明導電性フィルム一体型偏光板を生産する方法」であるから、偏光板の上面にタッチパネルの抵抗膜を直接接着することは明らかであり、上記（ｃ）で述べた「偏光板の上面に、光学用の接着剤が塗布された異型フィルムを貼り合わせた後必要な大きさに切断するステップ」の後、異型フィルムを剥がさないと偏光板の上面にタッチパネルの抵抗膜を直接接着することができないから、本願発明の「前記切断されたフィルムの上面に、前記タッチパネルの抵抗膜を接着するステップ」は「前記異型フィルムを剥がした後、接着剤層が設けられた偏光板の上面にタッチパネルの抵抗膜を接着するステップ」を意味するものと認められる。
　そうすると、引用発明の「タッチパネル１の導電膜を設けた」「下基板１ｃと液晶表示パネル５０の偏光板５０ａの間に」「基板の無いアクリル系の粘着剤による透明粘着シート層２」を設けて「タッチパネル１の下基板１ｃと液晶表示パネル５０の偏光板５０ａ」を「粘着」することと、本願発明の「前記切断されたフィルムの上面に、前記タッチパネルの抵抗膜を接着するステップ」は、「前記光学用の接着剤層が設けられた偏光板の上面に、前記タッチパネルの抵抗膜を接着するステップ」である点で共通する。
　
　（ａ）〜（ｄ）に記載したことからして、本願発明と引用発明の両者は、　
「偏光板と、透明導電性基材であるタッチパネルの抵抗膜と、から構成される透明導電性基材一体型偏光板を生産する方法であって、偏光板を形成するステップと、偏光板の上面に光学用の接着剤層を設けるステップと、基材の上に透明導電層を形成した前記タッチパネルの抵抗膜を形成するステップと、前記光学用の接着剤層が設けられた偏光板の上面に、前記タッチパネルの抵抗膜を接着するステップと、からなる抵抗膜一体型偏光板を生産する方法。」
である点で一致し、次の相違点が存在する。　
　　　
相違点（Ａ）　
　本願発明では、偏光板が、下部フィルムと、偏光フィルムと、上部フィルムとからなり、偏光板を形成するステップが、前記下部フィルムの上に前記偏光フィルムを積層し、当該偏光フィルムの上に前記上部フィルムを積層するものであるのに対して、引用発明では、偏光板が、下部フィルムと、偏光フィルムと、上部フィルムとからなるものであるか不明であり、その形成ステップも特定されていない点。
　
相違点（Ｂ）
　タッチパネルの抵抗膜が、本願発明では、基材フィルムの上に、透明導電層を形成した透明導電性フィルムであるのに対して、引用発明では、導電膜を設けた厚さ１ｍｍ程度の透明合成樹脂であるポリカーボネートより構成される下基板１ｃである点。
　
相違点（Ｃ）
　偏光板の上面に光学用の接着剤層を設けるステップ及び光学用の接着剤層が設けられた偏光板の上面にタッチパネルの抵抗膜を接着するステップが、本願発明では、偏光板の上面に、光学用の接着剤を塗布し、当該接着剤が塗布されたフィルムを切断するステップ及び切断されたフィルムの上面にタッチパネルの抵抗膜を接着するステップ、即ち、偏光板の上面に、光学用の接着剤が塗布された異型フィルムを貼り合わせた後必要な大きさに切断するステップ及び異型フィルムを剥がした後、接着剤層が設けられた偏光板の上面にタッチパネルの抵抗膜を接着するステップであるのに対して、引用発明では、基板の無いアクリル系の粘着剤による透明粘着シート層を設けるものであり、透明粘着シート層を設けた後、必要な大きさに切断するか否かも不明である点。
　
相違点（Ｄ）
　本願発明では、偏光板と抵抗膜の垂直断面が一致しているのに対して、引用発明では、下基板１ｃと偏光板５０ａの垂直断面が一致しているとはしていない点。
　
相違点（Ｅ）
　本願発明では、偏光板と、透明導電性フィルムであるタッチパネルの抵抗膜と、から構成される透明導電性フィルム一体型偏光板を生産する方法であるのに対して、引用発明では、タッチパネル１の下基板１ｃと液晶表示パネル５０の偏光板５０ａが粘着されている積層物を含むタッチパネル付き液晶表示装置を生産する方法である点。
　
４．当審の判断　
　前記相違点（Ａ）〜（Ｅ）について検討する。　
　　　
相違点（Ａ）について　
　偏光板の構成として偏光フィルムの両側に保護フィルムを設けることは、例えば、特開平９−２０３８９０号公報（【００６１】等参照）、特開平６−５１１２１号公報（【００２８】等参照）にも記載されているように本願の優先日前における周知技術である。そして、引用発明に当該周知技術を採用することに格別の阻害要因はないから、必要に応じて引用発明の偏光板として上記周知の偏光板を採用することは当業者であれば適宜なし得ることである。また、両側に保護フィルムを設ける際にどのような順で積層するかに格別な技術的意義があるものとは認められないし、積層物を形成する際に下から順に上に積層していく形成ステップは、例をあげるまでもなく周知技術であるから、上記相違点（Ａ）に係る本願発明の発明特定事項を得ることは周知技術に基いて当業者であれば容易になし得ることである。
　　
相違点（Ｂ）について
　薄い基板を「フィルム」とするかどうかは、部材の定義の問題にすぎない。大面積であれば、厚さ１ｍｍ程度なら一般的にフィルムとされるし、仮に小面積であっても、厚みのあるフィルムとみなし得るものである。そうすると、この点は実質的な相違点ではない。
　また、仮にこの点が実質的な相違点であるとしても、タッチパネルの抵抗膜として、基材フィルムの上に透明導電層を形成した透明導電性フィルムを用いることは、例えば特開平８−８３５１５号（【０００５】等参照）、特開平８−２２２０３０号公報（【請求項１】、【０００１】等参照）にも記載されているように本願の優先日前における周知技術である。そして、引用発明に当該周知技術を採用することに格別の阻害要因はないから、必要に応じて引用発明のタッチパネルの抵抗膜に相当する下基板１ｃに代えて上記周知の透明導電性フィルムを採用して上記相違点（Ｂ）に係る本願発明の発明特定事項を得ることは当業者であれば容易になし得ることである。
　
相違点（Ｃ）、（Ｄ）について
　フィルムに接着剤層を設ける手段として、接着剤が塗布された剥離可能なフィルムを貼り合わせ、剥離可能なフィルムを剥離することにより接着剤層を設けることは、例えば特開平８−２１９１３号公報（【００２０】、【００２４】等参照）にも記載されているように本願の優先日前における周知技術である。そして引用発明に接着剤層を設ける手段として当該周知技術を採用することに格別の阻害要因はないから、必要に応じて引用発明の基板の無いアクリル系の粘着剤による透明粘着シート層により接着剤層を設けることに代えて上記周知技術を採用することは当業者であれば容易に想到し得ることである。
　また、タッチパネルと液晶表示パネルの偏光板のサイズをどのように設定するかは、用途等に応じて適宜に定める設計的事項にすぎない。
　したがって、上記相違点（Ｃ）、（Ｄ）に係る本願発明の発明特定事項を得ることは当業者であれば容易になし得ることである。
　
相違点（Ｅ）について
　引用発明は、偏光板５０ａと下基板１ｃのみを粘着するものではないが、本願発明も引用発明も最終的にはタッチパネルと偏光板と液晶表示装置を接着したタッチパネル一体型平板ディスプレーを得るための発明であり、タッチパネル一体型平板ディスプレーを得るための途中の段階で構成要素の組立順をどのような順番で行いどのような中間段階の製品を生産するかはその生産性、効率等を考慮して当業者が適宜決定する設計的事項にすぎない。
　また、タッチパネルの一部と偏光板の積層物を先に形成しておくことは、例えば特開平１１−５３１１８号公報（【００４３】等参照）にも記載されているように周知技術であるからこの点からも上記相違点（Ｅ）にかかる本願発明の発明特定事項は格別のものとはいえず、当業者が必要に応じて適宜なし得ることである。
　したがって、上記相違点（Ｅ）に係る本願発明の発明特定事項を得ることは当業者であれば容易になし得ることである。
　
　また、本願発明の効果も、引用発明及び周知技術から予測し得る範囲内のものであり、格別のものとは認め難い。
　
　したがって、本願発明は、引用発明及び周知技術に基いて当業者が容易に発明をすることができたものである。　
　　　
５．むすび　
　以上のとおり、本願発明は、引用発明及び周知技術に基いて当業者が容易に発明をすることができたものであるから、特許法第２９条第２項の規定により特許を受けることができない。　
　よって、結論のとおり審決する。